(57)【要約】【課題】複数の記録媒体に分割して記録された、一括管理すべき複数の画像データの中から目的とする画像データを容易に検索できるようにする。【解決手段】本発明に係る画像記録装置１によれば、原稿メディアから取り込まれた複数の取込画像データの総データ量Ｓが、書込メディアの記録可能容量Ｙを越えていると判断した場合には、取込画像データを画像データ群に分割して、各画像データ群の記録先となる書込メディアを決定し、ディスクドライブ１６又はメモリ接続部１７を介して、メディア毎に、対応する画像データ群及び全ての取込画像データの記録先に関する情報を含むインデックス情報を記録する。【選択図】  図２
2005005886.tif 000002
【特許請求の範囲】
【請求項１】
入力された画像データを記録媒体に記録する画像記録装置において、
関連付けて記録すべき複数の入力画像データのデータ量が記録媒体の記録可能容量を越えているか否かを判断する判断手段と、
前記判断手段により前記複数の入力画像データのデータ量が前記記録媒体の記録可能容量を越えていると判断された際に、前記入力画像データを複数の記録媒体に分けて記録するために複数の画像データ群に分割する分割手段と、
前記分割された複数の画像データ群のそれぞれに記録媒体を対応付け、前記各画像データ群の記録先を決定する記録先決定手段と、
前記各入力画像データの記録先に関するインデックス情報を作成するインデックス情報作成手段と、
前記各画像データ群を記録先として決定された記録媒体に記録するとともに、少なくとも一つの記録媒体に、前記作成されたインデックス情報を記録する記録手段と、
を備えたことを特徴とする画像記録装置。
【請求項２】
前記インデックス情報は、前記各入力画像データのサムネイル画像を含むことを特徴とする請求項１に記載の画像記録装置。
【請求項３】
入力された画像データを記録媒体に記録する画像記録装置を制御するためのコンピュータに、
関連付けて記録すべき複数の入力画像データのデータ量が記録媒体の記録可能容量を越えているか否かを判断する機能と、
前記複数の入力画像データのデータ量が前記記録媒体の記録可能容量を越えていると判断された際に、前記入力画像データを複数の記録媒体に分けて記録するために複数の画像データ群に分割する機能と、
前記分割された複数の画像データ群のそれぞれに記録媒体を対応付け、前記各画像データ群の記録先を決定する機能と、
前記各入力画像データの記録先に関するインデックス情報を作成する機能と、
前記各画像データ群を記録先として決定された記録媒体に記録するとともに、少なくとも一つの記録媒体に、前記作成されたインデックス情報を記録する機能と、
を実現させるためのプログラム。
【請求項４】
前記インデックス情報は、前記各入力画像データのサムネイル画像を含むことを特徴とする請求項３に記載のプログラム。
【発明の詳細な説明】
【０００１】
【発明の属する技術分野】
本発明は、画像データを記録媒体に記録する画像記録装置及びプログラムに関する。
【０００２】
【従来の技術】
近年、デジタルカメラの普及等により、画像データを記録媒体に記録して保存する機会が増えているが、記録媒体には記録容量に制限があり、記録容量を越えた記録は不可能である。
【０００３】
そこで、例えば、特許文献１には、複数の記録媒体の未記録領域に順次連続して電子スチルカメラにより撮影された画像データを記録可能な画像記録装置が開示されている。
【０００４】
【特許文献１】
特開平１０−２７６３９３号公報
【０００５】
【発明が解決しようとする課題】
しかしながら、例えば撮影日が同一の撮像画像データ等、本来一枚の記録媒体に関連付けて記録して一括管理したい複数の画像データを複数の記録媒体に記録すると、どの記録媒体にどの画像データが記録されているかがわからなくなり、目的の画像データを容易に検索することができないという問題があった。
【０００６】
本発明の課題は、複数の記録媒体に分割して記録された、一括管理すべき複数の画像データの中から目的とする画像データを容易に検索できるようにすることである。
【０００７】
【課題を解決するための手段】
上記課題を解決するため、請求項１に記載の発明は、
入力された画像データを記録媒体に記録する画像記録装置において、
関連付けて記録すべき複数の入力画像データのデータ量が記録媒体の記録可能容量を越えているか否かを判断する判断手段と、
前記判断手段により前記複数の入力画像データのデータ量が前記記録媒体の記録可能容量を越えていると判断された際に、前記入力画像データを複数の記録媒体に分けて記録するために複数の画像データ群に分割する分割手段と、
前記分割された複数の画像データ群のそれぞれに記録媒体を対応付け、前記各画像データ群の記録先を決定する記録先決定手段と、
前記各入力画像データの記録先に関するインデックス情報を作成するインデックス情報作成手段と、
前記各画像データ群を記録先として決定された記録媒体に記録するとともに、少なくとも一つの記録媒体に、前記作成されたインデックス情報を記録する記録手段と、
を備えたことを特徴としている。
【０００８】
請求項３に記載の発明のプログラムは、
入力された画像データを記録媒体に記録する画像記録装置を制御するためのコンピュータに、
関連付けて記録すべき複数の入力画像データのデータ量が記録媒体の記録可能容量を越えているか否かを判断する機能と、
前記複数の入力画像データのデータ量が前記記録媒体の記録可能容量を越えていると判断された際に、前記入力画像データを複数の記録媒体に分けて記録するために複数の画像データ群に分割する機能と、
前記分割された複数の画像データ群のそれぞれに記録媒体を対応付け、前記各画像データ群の記録先を決定する機能と、
前記各入力画像データの記録先に関するインデックス情報を作成する機能と、
前記各画像データ群を記録先として決定された記録媒体に記録するとともに、少なくとも一つの記録媒体に、前記作成されたインデックス情報を記録する機能と、
を実現させることを特徴としている。
【０００９】
請求項１、３に記載の発明によれば、関連付けて記録すべき複数の入力画像データのデータ量が記録媒体の記録可能容量を越えているか否かを判断し、複数の入力画像データのデータ量が記録媒体の記録可能容量を越えている場合、入力画像データを複数の記録媒体に分けて記録するために複数の画像データ群に分割し、分割された複数の画像データ群のそれぞれに記録媒体を対応付けて各画像データ群の記録先を決定し、各入力画像データの記録先に関するインデックス情報を作成し、各画像データ群を記録先として決定された記録媒体に記録するとともに、少なくとも一つの記録媒体に、作成されたインデックス情報を記録する。
【００１０】
従って、関連性のある複数の画像データが複数の記録媒体に記録されても、各画像データの記録先に関するインデックス情報を記録するので、目的の画像データを容易に検索することができる。
【００１１】
請求項２に記載の発明は、請求項１に記載の発明において、
前記インデックス情報は、前記各入力画像データのサムネイル画像を含むことを特徴としている。
【００１２】
請求項４に記載の発明は、請求項３に記載の発明において、
前記インデックス情報は、前記各入力画像データのサムネイル画像を含むことを特徴としている。
【００１３】
請求項２、４に記載の発明によれば、インデックス情報には各入力画像データのサムネイル画像が含まれるので、サムネイル画像により画像データの内容をユーザが容易に知ることができ、目的の画像データをより容易に検索することが可能となる。
【００１４】
【発明の実施の形態】
以下、図を参照して、本発明の実施の形態を詳細に説明する。
まず、構成を説明する。
図１に、本発明に係る画像記録装置１の外観を示す。図１に示すように、画像記録装置１には、表示パネル１５ａ、ディスク装填部１６ａ、メモリカードスロット１７ａ、金銭投入口２０ａ、メディア取り出し口２２等が設けられている。画像記録装置１は、写真店やコンビニエンスストア、街角等に設置されており、有料にて、画像データを記録した記録メディアを作成する装置である。記録メディアは、データを記録しておくための記録媒体である。
【００１５】
図２に、画像記録装置１の機能的構成を示す。
図２に示すように、画像記録装置１は、ＣＰＵ１１、ＲＡＭ１２、記憶部１３、入力部１４、表示部１５、ディスクドライブ１６、メモリ接続部１７、一時記憶領域１８、通信部１９、金銭管理部２０等により構成され、各部はバス２１により接続されている。
【００１６】
ＣＰＵ（Ｃｅｎｔｒａｌ  Ｐｒｏｃｅｓｓｉｎｇ  Ｕｎｉｔ）１１は、入力部１４からの入力信号により、記憶部１３に格納されているシステムプログラムや各種処理プログラムを読み出し、ＲＡＭ１２内のプログラム格納領域に展開し、展開したプログラムに従って画像記録装置１の各部の動作を集中制御する。また、読み出したプログラムに従って、後述する書込メディア作成処理、記録処理を始めとする各種処理を実行する。
【００１７】
ＲＡＭ（Ｒａｎｄｏｍ  Ａｃｃｅｓｓ  Ｍｅｍｏｒｙ）１２は、ＣＰＵ１１により実行制御される各種処理において、記憶部１３から読み出された画像記録装置１で実行可能なシステムプログラム、各種処理プログラム、入力若しくは出力データ、及びパラメータ等の一時的な格納領域となる。
【００１８】
記憶部１３は、ＨＤＤ（Ｈａｒｄ  Ｄｉｓｃ  Ｄｒｉｖｅ）や不揮発性の半導体メモリ等により構成され、画像記録装置１に対応するシステムプログラム、及び該システムプログラム上で実行可能な書込メディア作成処理プログラム１３１、記録処理プログラム１３２を始めとする各種処理プログラム、及びこれらのプログラムで処理されたデータ等を記憶する。これらの各プログラムは、コンピュータで読み取り可能なプログラムコードの形態で記憶され、ＣＰＵ１１は、当該プログラムコードに従った動作を逐次実行する。
【００１９】
入力部１４は、カーソルキー、ＥＪＥＣＴキー等の各種機能キーを備えて構成され、押下操作されたキーの押下信号を入力信号としてＣＰＵ１１へ出力する。また、入力部１４は、表示部１５の表示画面を覆う透明なシートパネルに、指又は専用のスタイラスペンで触れることにより入力される位置情報を入力信号としてＣＰＵ１１に出力する、タッチパネルにより構成される。
【００２０】
表示部１５は、ＬＣＤ（Ｌｉｑｕｉｄ  Ｃｒｙｓｔａｌ  Ｄｉｓｐｌａｙ）やＣＲＴ（Ｃａｔｈｏｄｅ  Ｒａｙ  Ｔｕｂｅ）等により構成される表示パネル１５ａであり、ＣＰＵ１１から入力される表示信号の指示に従って、表示画面上に画像データや各種情報等の表示を行う。
【００２１】
ディスクドライブ１６は、ディスク装填部１６ａ、図示しない光ピックアップ、ＤＳＰ、スピンドルモータ、送りモータ、ヘッドドライバ、記録ヘッド等により構成され、ＣＰＵ１１から入力される制御信号により、記録メディア２に記録されたデータを読み出してＣＰＵ１１に出力したり、ＣＰＵ１１から入力される制御信号に応じた磁場を記録メディア２に印加して、記録メディア２へのデータの書き込み（記録）を行ったりする。ディスクドライブ１６は、例えば、ディスク装填部１６ａに装填されたＤＶＤ、ＤＶＤ−Ｒ、ＤＶＤ−ＲＷ、ＤＶＤ−ＲＡＭ、ＣＤ、ＣＤ−Ｒ、ＣＤ−ＲＷ等の記録メディア２に対してデータの読み出し、書き込みを行う。
【００２２】
なお、ディスクドライブ１６としては、読み出し専用のドライブと書き込み（記録）専用のドライブを独立して１つずつ以上設けてもよいし、読み出し、書き込みの兼用ドライブを１つ又は複数設けてもよい。また、読み出し専用のドライブと、読み書き兼用のドライブを組み合わせることも可能である。また、記録メディアの種類毎にドライブを設けるようにしてもよい。
【００２３】
メモリ接続部１７は、メモリカードスロット１７ａに挿入されたフラッシュメモリ、スマートメディア、メモリースティック、ＳＤメモリカード（Ｓｅｃｕｒｅ  Ｄｉｇｉｔａｌ  ｍｅｍｏｒｙ  ｃａｒｄ）等の記録メディア３とデータの入出力を行うためのインターフェースである。なお、メモリ接続部１７の数は、特に限定されない。
【００２４】
一時記憶領域１８は、ＨＤＤ、ＤＲＡＭ（Ｄｙｎａｍｉｃ  Ｒａｎｄｏｍ  Ａｃｃｅｓｓ  Ｍｅｍｏｒｙ）等により構成され、記録メディア２又は３から読み出されたデータを一時的に記憶する。
【００２５】
通信部１９は、モデム、ＬＡＮアダプタやルータやＴＡ（Ｔｅｒｍｉｎａｌ  Ａｄａｐｔｅｒ）等によって構成され、専用線、或いはＩＳＤＮ回線等の通信回線を介してＬＡＮ（Ｌｏｃａｌ  Ａｒｅａ  Ｎｅｔｗｏｒｋ）、ＷＡＮ（Ｗｉｄｅ  Ａｒｅａ  Ｎｅｔｗｏｒｋ）、インターネット等のネットワークに接続された装置との間でデータの送受信を行う。
【００２６】
金銭管理部２０は、金銭投入部２０ａ、図示しない金銭識別部、金銭収納部、金銭出力部等を備えており、投入された硬貨や紙幣を識別して管理し、識別信号をＣＰＵ１１に出力する。
【００２７】
次に、動作について説明する。
図３に、ＣＰＵ１１と記憶部１３に記憶されている書込メディア作成処理プログラム１３１との協働により実行される書込メディア作成処理を示す。以下、図３を参照して、書込メディア作成処理について説明する。
【００２８】
原稿メディア（他の記録メディアに記録すべき画像データが記録されている記録メディア）がディスクドライブ１６又はメモリ接続部１７の対応する装填位置にセットされると（ステップＳ１）、原稿メディアに記録された画像データの情報が読み出され、原稿メディアの内容（ここでは、ファイル名とする）が表示パネル１５ａに一覧表示される（ステップＳ２）。
【００２９】
入力部１４により、表示パネル１５ａに表示された画像データの一覧の中から、他の記録メディアに記録する対象としての取込画像データ（入力画像データ）が選択され（ステップＳ３）、取込画像データのファイルの確認が指示されると、選択された取込画像データの画像が表示パネル１５ａに表示される（ステップＳ４）。取込画像データの確認が行われ、入力部１４によりコメントが入力されると、入力されたコメントが、当該取込画像データに対応付けてＲＡＭ１２に格納される（ステップＳ５）。入力部１４により取込画像データの確定が指示されるまで、ステップＳ３〜Ｓ５が繰り返し実行され、取込画像データの確定が指示されると（ステップＳ６；ＹＥＳ）、選択された取込画像データ及びコメントが一時記憶領域１８に蓄積される（ステップＳ７）。入力部１４により、他の原稿メディアから画像データを取り込む指示が入力された場合は（ステップＳ８；ＹＥＳ）、ステップＳ１に戻り、ステップＳ１〜Ｓ７が繰り返し実行され、他の原稿メディアからの画像データの取り込みを行わない指示が入力された場合は（ステップＳ８；ＮＯ）、ステップＳ９に移行する。このように、ステップＳ１〜Ｓ８が実行されることにより、一括管理すべき、関連性のある複数の取込画像データが画像記録装置１に取り込まれる。
【００３０】
ステップＳ９において、入力部１４から、一時記憶領域１８に記憶された取込画像データ全体に対するタイトルが入力され（ステップＳ９）、書込メディア（取込画像データを記録するための記録メディア）が選択され（ステップＳ１０）、書込メディアがディスクドライブ１６又はメモリ接続部１７の対応する装填位置にセットされると（ステップＳ１１）、記録処理（図４参照）が行われ（ステップＳ１２）、本処理は終了する。
【００３１】
図４に、ステップＳ１２において、ＣＰＵ１１と記憶部１３に記憶されている記録処理プログラム１３２との協働により実行される記録処理を示す。以下、図４を参照して記録処理について説明する。
【００３２】
まず、取込画像データの総データ量Ｓが取得される（ステップＳ１０１）。次いで、判断手段としてのステップＳ１０２において、装填位置にセットされている書込メディアの記録可能容量Ｙと総データ量Ｓが比較され、比較の結果、総データ量Ｓが記録可能容量Ｙを越えないと判断された場合は（ステップＳ１０２；ＮＯ）、書込メディアが装填されているディスクドライブ１６又はメモリ接続部１７を介して１つの書込メディアに全ての取込画像データが記録され（ステップＳ１０３）、本処理は終了する。
【００３３】
一方、装填位置にセットされている書込メディアの記録可能容量Ｙと総データ量Ｓが比較され、比較の結果、総データ量Ｓが記録可能容量Ｙを越えていると判断された場合は（ステップＳ１０２；ＹＥＳ）、分割手段としてのステップＳ１０４において、総データ量Ｓ及び記録可能容量Ｙに基づいて、取込画像データを複数の書込メディアに分けて記録するために、取込画像データが複数の画像データ群に分割される（ステップＳ１０４）。次いで、記録先決定手段としてのステップＳ１０５において、分割された各画像データ群のそれぞれに記録先となる書込メディアが対応付けられ、各画像データ群の記録先が決定される（ステップＳ１０５）。取込画像データを複数の画像データ群へ分割する際には、総データ量Ｓに基づいて、後述するインデックス情報分のデータ量が考慮される。また、１つの画像を形成する画像データのファイルが複数の書込メディアに跨って記録されることのないように考慮される。
【００３４】
各画像データ群の記録先が決定されると、インデックス情報作成手段としてのステップＳ１０６において、全ての取込画像データの記録先に関する情報を含むインデックス情報が作成される（ステップＳ１０６）。記録先に関する情報は、例えば、書込メディア毎に、各書込メディアを識別するためのメディア番号を付し、このメディア番号を記録先に関する情報として用いることができる。次いで、記録手段としてのステップＳ１０７において、ディスクドライブ１６又はメモリ接続部を介して、装填されている書込メディアに、対応する画像データ群とステップＳ１０６で作成されたインデックス情報が記録される（ステップＳ１０７）。全ての画像データ群の記録が終了していない場合（ステップＳ１０８；ＮＯ）、書込メディアが交換され（ステップＳ１０９）、ステップＳ１０７〜Ｓ１０８が繰り返し実行される。全ての画像データ群の記録が終了すると（ステップＳ１０８；ＹＥＳ）、本処理は終了する。
【００３５】
図５に、ステップＳ１０６で作成される取込画像データのインデックス情報の一例を示す。インデックス情報は、例えば、ＨＴＭＬ（ＨｙｐｅｒＴｅｘｔ  Ｍａｒｋｕｐ  Ｌａｎｇｕａｇｅ）形式で記述され、ブラウザで表示可能となっている。上述した書込メディア作成処理で画像データ群及びインデックス情報が記録された記録メディアを、ブラウザが搭載されたＰＣ等の装置により再生すると、図５に示すインデックス表示画面を表示することができる。このインデックス表示画面には、全ての取込画像データのサムネイル画像がファイル名とともに表示されている。取込画像データの数が多い場合には、前ページ、次ページの表示をマウス等でクリックすることによりページを移行させることができる。インデックス表示画面の各ページには、ステップＳ９で入力されたタイトル、現在再生中の記録メディアのメディア番号、表示されているサムネイル画像の画像データが保管されている記録メディアのメディア番号が記録される。これにより、取込画像データのうち、どの画像データがどの記録メディアに記録されているかを容易に知ることが可能となり、画像データの検索が容易になる。
【００３６】
また、図６に示すように、サムネイル画像上をマウス等でクリックすると、当該サムネイル画像に対応する画像データが保管されている記録メディアがセットされている場合には、画像データ及びインデックス情報の詳細が読み出され、画像とともに、ステップＳ５で入力されたこの画像に対するコメント及びこの画像データが記録されている記録メディアのメディア番号、ファイル名等のインデックス情報の詳細が表示される。すなわち、インデックス表示画面からサムネイル画像を選択することで、容易に目的とする画像データを検索、閲覧することが可能となる。
【００３７】
一方、クリックされたサムネイル画像に対応する画像データが保管されている記録メディアがセットされていない場合には、クリックされた画像のインデックス情報の詳細のみが読み出され、画像は表示されずに「保管されている記録メディア２００３００１−２をセットして下さい」等の記録先を示す通知が表示され、ステップＳ５で入力されたこの画像に対するコメント及びこの画像データが記録されている記録メディアのメディア番号、ファイル名等のインデックス情報の詳細が表示される。ユーザは、インデックス表示画面に表示されるインデックス情報から目的とする画像データの保管場所を容易に知ることができる。
【００３８】
以上説明したように、画像記録装置１によれば、原稿メディアから取り込まれた取込画像データの総データ量Ｓが、書込メディアの記録可能容量Ｙを越えていると判断した場合には、取込画像データを画像データ群に分割して、各画像データ群の記録先となる書込メディアを決定し、書込メディア毎に、対応する画像データ群及び全ての取込画像データの記録先に関する情報を含むインデックス情報を記録する。
【００３９】
従って、複数の記録メディアに分割して記録された、一括管理すべき関連性のある複数の画像データの中から目的とする画像データを容易に検索することができる。
【００４０】
なお、上記実施の形態における記述内容は、本発明に係る画像記録装置１の好適な一例であり、これに限定されるものではない。
【００４１】
例えば、上記実施の形態においては、取込画像データは原稿メディアを介して入力することとしたが、これに限定されず、例えば、ＵＳＢ等の通信ケーブル接続、コネクタ接続、微弱無線や赤外線等を利用した無線通信により入力を行う構成としてもよい。また、携帯電話機やＰＣ等から通信部１９を介して入力する構成としてもよい。また、画像記録装置１がスキャナと接続するＩ／Ｆを備える構成とし、写真プリントやネガフィルム等をスキャナで読み取って得られた画像データを記録メディアに記録する際にも、本発明を適用することができる。
【００４２】
また、上記実施の形態においては、インデックス情報の好適な一例として、サムネイル画像を用いることとしたが、これに限定されるものではない。また、インデックス情報は、全ての記録メディアに記録されることが好ましいが、少なくとも一つの記録メディアに記録されていれば、本発明の効果を奏することができる。
【００４３】
また、上記実施の形態においては、インデックス情報をＨＴＭＬ形式で記述することとしたが、単一もしくは複数の画像データとして記述してもよい。また、特定の再生プログラムで再生できる専用の形式で記述してもよい。さらに、インデックス情報とともに、そのインデックス情報を再生するプログラムを同時に記録するようにしてもよい。
【００４４】
また、上記実施の形態においては、再生中の記録メディアのメディア番号をインデックス情報内に記録したが、メディア番号は、インデックス情報とは別に記録メディア内に記録してもよいし、記録メディアのレーベル面にプリントしたり、シール等にプリントして記録メディア上に貼りつけたりしてもよい。
【００４５】
また、上述した書込メディア作成処理プログラム１３１、記録処理プログラム１３２は、記録媒体に読み込むことによって、画像記録装置１と独立したソフトウェア製品単体としての販売、配布も容易になる。また、本発明の技術を他のハードウェア上で利用することができる。
【００４６】
その他、画像記録装置１を構成する各装置の細部構成及び細部動作に関しても、本発明の趣旨を逸脱することのない範囲で適宜変更可能である。
【００４７】
【発明の効果】
請求項１、３に記載の発明によれば、関連付けて記録すべき複数の入力画像データのデータ量が記録媒体の記録可能容量を越えているか否かを判断し、複数の入力画像データのデータ量が記録媒体の記録可能容量を越えている場合、入力画像データを複数の記録媒体に分けて記録するために複数の画像データ群に分割し、分割された複数の画像データ群のそれぞれに記録媒体を対応付けて各画像データ群の記録先を決定し、各入力画像データの記録先に関するインデックス情報を作成し、各画像データ群を記録先として決定された記録媒体に記録するとともに、少なくとも一つの記録媒体に、作成されたインデックス情報を記録する。
【００４８】
従って、関連性のある複数の画像データが複数の記録媒体に記録されても、各画像データの記録先に関するインデックス情報を記録するので、目的の画像データを容易に検索することができる。
【００４９】
請求項２、４に記載の発明によれば、インデックス情報には各入力画像データのサムネイル画像が含まれるので、サムネイル画像により画像データの内容をユーザが容易に知ることができ、目的の画像データをより容易に検索することが可能となる。
【図面の簡単な説明】
【図１】本発明に係る画像記録装置１の外観を示す図である。
【図２】図１の画像記録装置１の機能的構成を示すブロック図である。
【図３】図２のＣＰＵ１１により実行される書込メディア作成処理を示すフローチャートである。
【図４】図２のＣＰＵ１１により実行される記録処理を示すフローチャートである。
【図５】図４のステップＳ１０６において作成されるインデックス情報の一例を示す図である。
【図６】図５のインデックス情報の利用方法を示す図である。
【符号の説明】
１    画像記録装置
１１    ＣＰＵ
１２    ＲＡＭ
１３    記憶部
１３１    書込メディア作成処理プログラム
１３２    記録処理プログラム
１４    入力部
１５    表示部
１６    ディスクドライブ
１７    メモリ接続部
１８    一時記憶領域
１９    通信部
２０    金銭管理部
【図１】
2005005886.tif 000003
【図２】
2005005886.tif 000004
【図３】
2005005886.tif 000005
【図４】
2005005886.tif 000006
【図５】
2005005886.tif 000007
【図６】
2005005886.tif 000008